(57)【要約】【課題】  訪問診療スケジュールの組立から訪問先での時間調整を容易とし、診療内容等の報告書作成と共に、必要とした時間に関する情報の把握と修正変更を容易とした訪問診療スケジュール管理システムを、また訪問歯科診療スケジュール管理システムを提供すること。【解決手段】  訪問診療に使用する可搬型の入出力装置に、カレンダー表示画面から診療時間を含む訪問診療スケジュールを設定するスケジュール設定手段と、前記診療時間を修正変更する時間変更手段を備え、訪問先における実診療時間に合せて前記スケジュール設定手段により設定された前記診療時間を修正変更することを特徴とする。【選択図】図２
2018010567.tif 000002
【特許請求の範囲】
【請求項１】
訪問診療に使用する可搬型の入出力装置に、カレンダー表示画面から診療時間を含む訪問診療スケジュールを設定するスケジュール設定手段と、前記診療時間を修正変更する時間変更手段を備え、
訪問先における実診療時間に合せて前記スケジュール設定手段により設定された前記診療時間を修正変更することを特徴とする訪問診療スケジュール管理システム。
【請求項２】
前記スケジュール設定手段には、訪問先の選択画面の表示と、患者の選択画面の表示と、診療時間の設定画面の表示とを含み、訪問先および患者は表示一覧から選択入力されることを特徴とする請求項１記載の訪問診療スケジュール管理システム。
【請求項３】
前記診療時間の設定画面の表示による時間の設定は、事前登録された時間割パターンにより設定することを特徴とする請求項１または請求項２記載の訪問診療スケジュール管理システム。
【請求項４】
前記時間の設定は、前記時間割パターンにより設定され時間（分）に基づき自動計算にて設定されることを特徴とする請求項３記載の訪問診療スケジュール管理システム。
【請求項５】
前記カレンダー表示画面において、訪問診療予定が入っている日を指定された場合、当該日の訪問予定を時間割として表示し、前記時間割には、少なくとも患者名と訪問先名および訪問時間を含み表示することを特徴とする請求項１乃至請求項３のいずれか１記載の訪問診療スケジュール管理システム。
【請求項６】
さらに訪問診療ナビゲーション手段を備え、
前記診療時間の変更手段は、前記訪問診療ナビゲーション手段の文書作成画面内に表示される診療時間を変更するものであることを特徴とする請求項１記載の訪問診療スケジュール管理システム。
【請求項７】
前記訪問診療ナビゲーション手段は、順に設問事項を画面に表示する案内手段と、直接設問に見合うデータ入力し文書作成を案内する画面を表示する文書作成手段を備え、
前記案内手段を経て前記文書作成手段に至る第１のモードと、前記案内手段を経ずに前記文書作成手段に至る第２のモードを有し、
予め設定された前記第１のモードと前記第２のモードの何れかのモードにて画面案内することを特徴とする請求項６記載の訪問診療スケジュール管理システム。
【請求項８】
前記訪問診療は、訪問歯科診療であることを特徴とする請求項１乃至請求項７のいずれか１記載の訪問診療支援システム。
【請求項９】
訪問歯科診療に使用する可搬型の入出力装置に、カレンダー表示画面から診療時間および／または指導時間を含む訪問歯科診療スケジュールを設定するスケジュール設定手段と、前記診療時間および／または指導時間を修正変更する時間変更手段を備え、
訪問先における実診療時間および／または実指導時間に合せて前記スケジュール設定手段により設定された前記診療時間および／または指導時間を修正変更することを特徴とする訪問歯科診療スケジュール管理システム。
【請求項１０】
前記スケジュール設定手段には、訪問先の選択画面の表示と、患者の選択画面の表示と、歯科医師および診療時間および／または指導時間の設定画面の表示とを含み、訪問先および患者は表示一覧から選択入力されることを特徴とする請求項９記載の訪問歯科診療スケジュール管理システム。
【請求項１１】
前記診療時間および／または前記指導時間の設定画面の表示による時間の設定は、事前登録された時間割パターンにより設定することを特徴とする請求項１０記載の訪問歯科診療スケジュール管理システム。
【請求項１２】
前記時間の設定は、前記時間割パターンにより設定され時間（分）に基づき自動計算にて設定されることを特徴とする請求項１１記載の訪問診療スケジュール管理システム。
【請求項１３】
前記カレンダー表示画面において、訪問診療予定が入っている日を指定された場合、当該日の訪問予定を時間割として表示し、前記時間割には、少なくとも患者名と訪問先名および訪問時間を含み表示することを特徴とする請求項９乃至請求項１１のいずれか１記載の訪問歯科診療スケジュール管理システム。
【請求項１４】
さらに訪問診療ナビゲーション手段を備え、
前記診療時間および／または前記指導時間の変更手段は、前記訪問診療ナビゲーション手段の文書作成画面内に表示される診療時間を変更するものであることを特徴とする請求項９記載の訪問歯科診療スケジュール管理システム。
【請求項１５】
前記訪問診療ナビゲーション手段は、順に設問事項を画面に表示する案内手段と、直接設問に見合うデータ入力し文書作成を案内する画面を表示する文書作成手段を備え、
前記案内手段を経て前記文書作成手段に至る第１のモードと、前記案内手段を経ずに前記文書作成手段に至る第２のモードを有し、
予め設定された前記第１のモードと前記第２のモードの何れかのモードにて画面案内することを特徴とする請求項１４記載の訪問歯科診療スケジュール管理システム。
【請求項１６】
前記可搬型の入出力装置は、タブレットであることを特徴とする請求項１乃至請求項１５のいずれか１記載の訪問歯科診療スケジュール管理システム。
【発明の詳細な説明】
【技術分野】
【０００１】
本発明は、訪問診療スケジュール管理システムに関し、特に、訪問歯科診療スケジュール管理システムに関するものである。
【背景技術】
【０００２】
診療等において、従来から、医師や歯科医師等は、患者の申告内容に基づき、医師自身の知識や経験等に基づいて患者の診療を行っている。また、病院等の所定の施設内では、医師や歯科医師等は、事前の患者の申告内容に基づき、関連する治療時の注意点を抽出し、患者に必要な質問を行い、様々な情報を総合的に分析したうえで、患者にとって最適な治療方針を定めて治療を進めている。
【０００３】
一方、治療を必要とする患者や介護を必要とする患者の増加とともに、院内治療だけではなく、訪問診療等も行われつつある。そこで訪問看護や訪問診療により患者への適切な診療等を行うにあたり、必要とされる医師や歯科医師、看護師や歯科衛生士等が自宅や介護施設等へ訪問するため、院内で必要となる診療時間等と訪問先で必要となる診療時間等の調整を行うことが必要となる。そのような時間調整を含め、訪問スケジュールを予め立てて遂行していくことが必要となる。例えば、在宅医療に関して、訪問スケジュール情報を画面表示させ、訪問スケジュールに連動して、患者宅の位置を地図表示させるものが特許文献１に開示されている。
【０００４】
また、訪問看護スケジュールの作成・提供に際し、在宅看護を必要とする患者に対し、各訪問先間の移動時間、及びお互いの相性を考慮して訪問看護割り付けするものが特許文献２に開示されている。
【先行技術文献】
【特許文献】
【０００５】
【特許文献１】特開２０１０−１７６３７１号公報
【特許文献２】特開平１０−１０５６１１号公報
【発明の概要】
【発明が解決しようとする課題】
【０００６】
従来、特許文献１や特許文献２に見られるように、事前の人員の手配に関するスケジュール調整等を行うことは知られているが、診療等の医療行為に伴うスケジュール管理と実時間の把握管理までの考慮はされていない。
【０００７】
しかしながら、在宅や施設等に居住して治療等を必要とするケースの増加にともない、病院等内で患者の診察・診療等と訪問診療等のスケジュール調整も必要となるが、訪問診療等に際しては、施設等にて診療した時間も的確に把握することが必要となる。
【０００８】
また、この訪問診療等における、特に歯科医師や歯科衛生士が各居宅、各施設等を訪問する際には、病院等内で患者の診察・診療等を行うのとは異なり、訪問予定の組立とともに訪問対象となる患者の情報等の事前準備を行うとともに、実際に診療した内容や実時間等を含め事後報告書にまとめる手続きについても、歯科医師や歯科衛生士に多大な負荷がかかっている。特に、訪問予定の設定における時間調整の煩雑さや、診療時間等の把握、まとめについても自動化されておらず多大な負荷となっていた。また、訪問診療等において、訪問後に、各居宅、各施設等を訪問した結果、診療内容や治療内容等を提供文書や報告文書に診療時間等を反映させてまとめる困難さがある。
【０００９】
本発明は、かかる問題を解決するもので、訪問診療スケジュールの組立から訪問先での時間調整を容易とし、診療内容等の報告書作成と共に、必要とした時間に関する情報の把握と修正変更を容易とした訪問診療スケジュール管理システムを、また訪問歯科診療スケジュール管理システムを提供することを目的としている。
【課題を解決するための手段】
【００１０】
上記目的を達成するために、本発明は、訪問診療に使用する可搬型の入出力装置に、カレンダー表示画面から診療時間を含む訪問診療スケジュールを設定するスケジュール設定手段と、上記診療時間を修正変更する時間変更手段を備え、訪問先における実診療時間に合せて上記スケジュール設定手段により設定された上記診療時間を修正変更することを特徴とする訪問診療スケジュール管理システムを提供するものである。
【００１１】
また、本発明は、上記スケジュール設定手段には、訪問先の選択画面の表示と、患者の選択画面の表示と、診療時間の設定画面の表示とを含み、訪問先および患者は表示一覧から選択入力されることを特徴とする。
【００１２】
また、本発明は、上記診療時間の設定画面の表示による時間の設定は、事前登録された時間割パターンにより設定することを特徴とする。
【００１３】
また、本発明は、上記時間の設定は、上記時間割パターンにより設定された時間（分）に基づき自動計算にて設定されることを特徴とする。
【００１４】
また、本発明は、上記カレンダー表示画面において、訪問診療予定が入っている日を指定された場合、当該日の訪問予定を時間割として表示し、上記時間割には、少なくとも患者名と訪問先名および訪問時間を含み表示することを特徴とする。
【００１５】
また、本発明は、さらに訪問診療ナビゲーション手段を備え、上記診療時間の変更手段は、上記訪問診療ナビゲーション手段の文書作成画面内に表示される診療時間を変更するものであることを特徴とする。
【００１６】
また、本発明は、上記訪問診療ナビゲーション手段は、順に設問事項を画面に表示する案内手段と、直接設問に見合うデータ入力し文書作成を案内する画面を表示する文書作成手段を備え、上記案内手段を経て上記文書作成手段に至る第１のモードと、上記案内手段を経ずに上記文書作成手段に至る第２のモードを有し、予め設定された上記第１のモードと上記第２のモードの何れかのモードにて画面案内することを特徴とする。
【００１７】
本発明によれば、訪問診療等に際しては、施設等にて診療した時間も的確に把握することができる。従って、訪問診療スケジュールの組立から訪問先での時間調整を容易とし、診療内容等の報告書作成と共に、必要とした時間に関する情報の把握と修正変更を容易とした訪問診療スケジュール管理システムを提供することができる。
【００１８】
また、本発明は、訪問歯科診療に使用する可搬型の入出力装置に、カレンダー表示画面から診療時間および／または指導時間を含む訪問歯科診療スケジュールを設定するスケジュール設定手段と、上記診療時間および／または指導時間を修正変更する時間変更手段を備え、訪問先における実診療時間および／または実指導時間に合せて上記スケジュール設定手段により設定された上記診療時間および／または指導時間を修正変更することを特徴とする訪問歯科診療スケジュール管理システムを提供するものである。
【００１９】
また、本発明は、上記スケジュール設定手段には、訪問先の選択画面の表示と、患者の選択画面の表示と、歯科医師および診療時間および／または指導時間の設定画面の表示とを含み、訪問先および患者は表示一覧から選択入力されることを特徴とする。
【００２０】
また、本発明は、上記診療時間および／または上記指導時間の設定画面の表示による時間の設定は、事前登録された時間割パターンにより設定することを特徴とする。
【００２１】
また、本発明は、上記時間の設定は、上記時間割パターンにより設定された時間（分）に基づき自動計算にて設定されることを特徴とする。
【００２２】
また、本発明は、さらに訪問診療ナビゲーション手段を備え、上記診療時間および／または上記指導時間の変更手段は、上記訪問診療ナビゲーション手段の文書作成画面内に表示される診療時間を変更するものであることを特徴とする。
【００２３】
本発明によれば、訪問歯科診療等に際しては、施設等にて診療した時間も的確に把握することができ、歯科医師や歯科衛生士が訪問歯科診療等における、各居宅、各施設等を訪問した結果、診療内容や治療内容等を訪問後に提供、報告する文書に診療時間等を反映させてまとめることも容易となる。従って、訪問歯科診療スケジュールの組立から訪問先での時間調整を容易とし、診療内容等の報告書作成と共に、必要とした時間に関する情報の把握と修正変更を容易とした訪問歯科診療スケジュール管理システムを提供することができる。
【発明の効果】
【００２４】
本発明によれば、訪問診療スケジュールの診療時間等の設定を容易し、スケジュールの組立から訪問先での時間調整も容易とでき、訪問診療等に際しては、施設等にて診療した時間も的確に把握することができる。また、この訪問診療等における、特に歯科医師や歯科衛生士が各居宅、各施設等を訪問する際には、病院等内で患者の診察・診療等を行うのとは異なり、訪問予定の組立と共に訪問対象となる患者の情報等の事前準備を行うとともに、実際に診療した内容や実時間等を含め事後報告書にまとめる手続きについても、容易となる。
【００２５】
また、訪問診療等における、各居宅、各施設等を訪問した結果、診療内容や治療内容等を訪問後に提供、報告する文書等に診療時間等を反映させてまとめることも容易となる。従って、訪問診療スケジュールの組立から訪問先での時間調整を容易とし、診療内容等の報告書作成と共に、必要とした時間に関する情報の把握と修正変更を容易とした訪問診療スケジュール管理システムを、また訪問歯科診療スケジュール管理システムを提供することができる。
【図面の簡単な説明】
【００２６】
【図１】本発明の一実施形態に係る訪問歯科診療スケジュール管理システムの構成例図である。
【図２】本発明の一実施形態に係る訪問歯科診療スケジュール管理システムで用いる可搬型の入出力装置（タブレット）のスケジュール管理画面の設定、表示に関する画面の遷移の例を示す図である。
【図３】本発明の一実施形態に係る訪問歯科診療スケジュール管理システムの前提となるメインメニュー画面（初期画面）からの入力処理フロー図である。
【図４】本発明の一実施形態に係る訪問歯科診療スケジュール管理システムで用いる可搬型の入出力装置（タブレット）の初期画面例の図である。
【図５】本発明の一実施形態に係る図４に関連する「訪問予定管理」の処理フロー図である。
【図６】本発明の一実施形態に係る図４に関連する「訪問予定管理」の各スケジュール情報の設定処理の処理フロー図である。
【図７】本発明の一実施形態に係る訪問歯科診療スケジュール管理システムで用いる入出力装置（タブレット）の訪問スケジュールに関する日程計画としてカレンダー表示画面例の図である。
【図８】本発明の一実施形態に係る訪問歯科診療スケジュール管理システムの初期画面の「訪問予定管理」から、あるいは、訪問スケジュールに関するカレンダー表示画面から、遷移した訪問スケジュールを訪問時間割として表示する画面例の図である。
【図９】本発明の一実施形態に係る訪問スケジュールに関する訪問先選択の画面例の図である。
【図１０】本発明の一実施形態に係る本発明の一実施形態に係る訪問スケジュールに関する訪問設定の画面例の図である。
【図１１】本発明の一実施形態に係る訪問スケジュールに関する患者選択の画面例の図である。
【図１２】本発明の一実施形態に係る訪問歯科診療スケジュール管理システムの訪問スケジュールに係わる時間割パターンの設定画面例の図である。
【図１３】本発明の一実施形態に係る訪問歯科診療スケジュール管理システムの「訪問歯科ナビ」のモード選択制御に関する「道案内モード」および「標準モード」の処理フロー図である。
【図１４】本発明の一実施形態に係る訪問歯科診療スケジュール管理システムの「訪問歯科診療ナビ」を選択した際の「道案内モード」にて表示される初期画面例の図である。
【図１５】本発明の一実施形態に係る「訪問歯科ナビ」の「道案内モード」の画面遷移の例を示す図である。
【図１６】本発明の一実施形態に係る訪問歯科診療スケジュール管理システムの「患者情報」の検索、表示の際に、複数の画面入力から共通して使用される、検索、表示の処理フロー図である。
【図１７】本発明の一実施形態に係る訪問歯科診療スケジュール管理システムの「訪問歯科ナビ」等で、診療時間等を含め訪問内容等をガイドするための表示、ガイド処理フロー図である。
【図１８】本発明の一実施形態に係る訪問歯科診療スケジュール管理システムの「訪問歯科ナビ」の「道案内モード」および「標準モード」で使用される診療時間情報等を含む提供文書作成の基本画面（プラットホーム）の例である。
【図１９】本発明の一実施形態に係る訪問歯科診療スケジュール管理システムの「訪問歯科ナビ」のプラットホームでの診療時間等の調整を可能とする変更処理フロー図である。
【図２０】本発明の一実施形態に係る訪問歯科診療スケジュール管理システムにおける診療時間情報等を含む提供文書作成の基本画面（プラットホーム）において診療時間等を変更可能とする画面例の図である。
【図２１】本発明の一実施形態に係る訪問歯科診療スケジュール管理システムにおける訪問スケジュール情報を含む、患者情報のインポートと訪問データのエクスポートの説明図である。
【図２２】本発明の一実施形態に係る訪問歯科診療スケジュール管理システムの運用形態の説明図である。
【発明を実施するための形態】
【００２７】
本発明は、在宅や施設等に居住して治療等を必要とするケースに対し、時間管理に係わる訪問スケジュール管理システムを提供するもので、訪問看護や訪問介護等にも適用できる。本発明で言う診療内容は、治療や看護、介護等の医療行為全般を総称している。従って、以下、本発明の実施形態としては、歯科医師と歯科衛生士を例に訪問スケジュール管理システムを例示して説明しているが、介護、看護に係わる訪問スケジュールを除く必要もない。
【００２８】
以下、図面を参照して、本発明の実施形態について説明する。
【００２９】
図１は、本発明の一実施形態に係る訪問歯科診療スケジュール管理システムの構成例を示すものである。１は画面への表示制御処理やその他入出力制御等を行う処理部ＣＰＵ、２は書込み読出し可能なメモリＭＭ、３は読出し専用のメモリＲＯＭ、４はディスプレイＤＳＰであり、基本的には、処理部１、メモリ２、メモリ３、ディスプレイ４から構成される。処理部１の制御の下、メモリ３からプログラム等を読出しプログラム処理により所定の画面をディスプレイ４に表示するとともに、ディスプレイ４からの入力指示を検出し必要なデータをメモリ２に展開して編集する等の処理が行われる。また、外部機器とのインタフェースをとるＵＳＢインタフェース５、カメラや書込み読取りペン等の入出力インタフェース６を備えている。さらに、必要に応じて無線インタフェース７を備えてもよい。
【００３０】
本発明のシステム構成は、後で明らかになるように、持ち運びが容易な可搬型の入出力装置に集約できる。この可搬型の入出力装置としては、タブレット、ノートパット、モバイル端末あるいはノートパソコンと呼ばれるものであってよく、持ち運び容易で訪問先で表示画面を見ながら入出力処理できるものであればよい。以下の説明では可搬型の入出力装置をタブレットとして説明する。
【００３１】
また、本発明は、訪問歯科診療スケジュール管理システムとして例示し、説明しているが、訪問スケジュール管理のみではなく、訪問診療支援システムとして併せもつことでもよく、訪問スケジュール管理システムと訪問診療支援システムと独立した別のシステムとして限定解釈すべきでなく、両機能を併せ持つ、あるいは一つのシステムの中に組み込まれたものとしてもよい。
【００３２】
図２は、本発明の一実施形態に係る訪問歯科診療スケジュール管理システムにおけるスケジュール管理画面の設定、表示に関する遷移例を示す図であり、本システムで用いる可搬型の入出力装置として例えばタブレットの案内・表示画面の遷移例を示している。なお、各遷移画面は概略の構成を例示している。
【００３３】
図２の遷移図において、初期画面Ａには、主なメニュー画面（選択項目）が表示される。この主な選択項目としては、「訪問予定管理」Ａ１と「患者情報管理」Ａ２と「訪問歯科ナビ(Ｄｒ：歯科医師、ＤＨ：歯科衛生士訪問用）」Ａ３と「訪問歯科ナビ（ＤＨ：歯科衛生士訪問用）」Ａ４の４個のアイコン（選択肢）からなり、所定のアイコンが指示入力されたことを検知して各画面へと遷移する。
【００３４】
以下、タブレット画面上の表示される「訪問予定管理」アイコンが指示入力された場合について説明する。図２中の初期画面Ａから、訪問スケジュール表示としては、カレンダー表示画面Ａ１１と訪問予定画面Ａ１５の２つの表示ルートがある。これは、訪問に際して使用するタブレットの医療データの設定とともに訪問スケジュールとして直接訪問予定を表示するか、あるいはカレンダー表示するかのモード指定による。直接訪問予定を表示するモードに設定されている場合には、タブレットに設定の日時情報により当日の訪問予定を表示する（Ａ１５）。また、カレンダー表示モードに設定されている場合には、当月のカレンダーを表示する（Ａ１１）。
【００３５】
カレンダー表示画面Ａ１１では、後述するように日付を指定（クリック）することで、訪問予定がある日付の場合には、訪問予定表示画面Ａ１５に遷移する。訪問予定がない日付が指定選択された場合には、訪問先選択画面Ａ１２に遷移し、訪問予定を設定する手順に入る。訪問先として介護施設等、所定の施設を指定選択し、次に、訪問設定画面Ａ１３に遷移する。訪問設定画面Ａ１３にて、訪問する歯科医師、歯科衛生士等の訪問情報を入力する。訪問設定画面Ａ１３で訪問情報を入力後、訪問先の患者選択画面Ａ１４に遷移する。また、先の訪問先選択画面Ａ１２にて施設先選択として居宅を指定選択した場合には、直接この患者選択画面Ａ１４に遷移する。患者選択画面Ａ１４にて患者選択後、訪問予定として指定日の訪問スケジュール全体を表示する（Ａ１５）。患者選択画面Ａ１４にて居宅の患者選択の場合には、その居宅の患者対応として訪問設定画面Ａ１３’に遷移し、設定入力後、訪問予定画面Ａ１５に遷移する。
【００３６】
訪問予定画面Ａ１５と患者選択画面Ａ１４間において、適宜、患者追加等で遷移可能としている。
【００３７】
訪問予定画面Ａ１５にて、訪問患者を指定選択すると後述の訪問歯科ナビへと遷移していく。
【００３８】
このように、本発明では、訪問スケジュールをカレンダー表示から、訪問先選択、患者選択、訪問情報設定等を画面切り替わりにより、順次入力設定を可能し、訪問予定を簡便に構築可能としている。
【００３９】
なお、図２における画面構成、画面遷移は一例を示すもので、この図に限定解釈されるべきではなく、幾多の変形例もあり得る。
【００４０】
以下、本発明の訪問スケジュール管理に係る情報入力処理を処理フロー図と各遷移画面により詳述する。
【００４１】
図３は、本発明の一実施形態に係る訪問歯科診療スケジュール管理システムの前提となるメインメニュー画面（初期画面）からの入力処理フロー図である。それに対応する初期画面の例として図２に図示した画面Ａを図４の本発明の一実施形態に係る訪問歯科診療スケジュール管理システムで用いる可搬型の入出力装置（タブレット）の初期画面例として図示している。
【００４２】
図３および図４において、初期画面Ａに表示される各アイコンの中から指定された入力を検出すると（ステップＳ１１）、各アイコンＡ１、Ａ２、Ａ３、Ａ４に対応する処理を行う。本発明の訪問スケジュール管理に関する「訪問予定管理」のアイコンＡ１が指示入力されると、訪問スケジュール管理の処理へ分岐する（ステップＳ１２）。「患者情報管理」のアイコンＡ２が指示入力されると、患者情報の入力／取込みの処理へ分岐する（ステップＳ１３）。また、訪問診療ナビゲーション機能の例として訪問歯科診療のナビゲーション機能を示す「訪問歯科ナビ(ＤｒＤＨ）」Ａ３と「訪問歯科ナビ（ＤＨ）」Ａ４の何れかが指定入力されると各「訪問歯科ナビ」の処理へ分岐する（ステップＳ１４、ステップＳ１５）。
【００４３】
「患者情報管理」Ａ２は、訪問する患者情報の表示や新規登録、編集を行うもので、後述の患者情報の表示、編集、登録画面により、患者番号、氏名等などの患者の基本情報のほかに訪問診療に必要な項目を管理できる。また、月々の訪問実績カレンダーが表示され、過去の訪問診療内容を参照することもできる。
【００４４】
訪問歯科診療のナビゲーション機能としての「訪問歯科ナビ」については、後述するように、「訪問歯科ナビ(Ｄｒ：歯科医師、ＤＨ：歯科衛生士訪問用）」Ａ３と「訪問歯科ナビ（ＤＨ：歯科衛生士訪問用）」Ａ４との２つの入り口を設けている。日々の訪問で、何をすればよいか、必要な提供文書は何か、などをガイドするもので、歯科医師と歯科衛生士が一緒に訪問する場合と歯科衛生士のみ訪問する場合がある。必ずしも２つの指示入力を設ける必要はないが、歯科衛生士だけで訪問する場合に当該歯科衛生士だけで処置する対象を絞ってガイドすることができる。
【００４５】
この「訪問歯科ナビ」は、訪問歯科診療ナビゲーションとして日々の訪問で何をすればよいのか、必要な提供文書は何かなどを案内（ガイド）するもので、「標準モード」と、初めての訪問診療であっても簡単に進めるような「道案内モード」とを備えている。他に、図４の画面例では、他に、報告文章等、ドキュメントの印刷機能としてのアイコンＡ０１、本システムのモード設定等、医院システムとしての医院設定機能としてのアイコンＡ０２、画面終了ボタンとしてのアイコンＡ０３等を備えている。
【００４６】
図５は、本発明の一実施形態に係る「訪問予定管理」の処理フロー図であり、また、図６は、本発明の一実施形態に係る「訪問予定管理」の各スケジュール情報の設定処理の処理フロー図である。図５、図６とも、図３のステップＳ１２の処理の詳細を説明するものである。
【００４７】
また、図５、図６の処理フローに伴い、遷移する各画面を、図７乃至図１１に示す。図７は本発明の一実施形態に係る訪問歯科診療スケジュール管理システムで用いる入出力装置（タブレット）の訪問スケジュールに関する日程計画としてカレンダー表示画面例の図であり、図８は訪問歯科診療スケジュール管理システムの初期画面の「訪問予定管理」から、あるいは、訪問スケジュールに関するカレンダー表示画面から遷移した訪問スケジュールを訪問時間割として表示する画面例の図である。また、図９は訪問先選択の画面例の図であり、図１０は訪問情報設定の画面例の図である。図１１は患者選択の画面例の図である。
【００４８】
以下、図５、図６の処理フロー図と、図７乃至図１１の表示画面例の図により説明する。
【００４９】
図５において、訪問スケジュール管理処理として、カレンダー表示設定モード情報を抽出し（ステップＳ２１）、カレンダー表示設定の有無を判別し（ステップＳ２２）、設定無の場合には、ステップＳ２７へ分岐する。カレンダー表示設定の有りの場合、訪問スケジュールをカレンダーに表示処理し（ステップＳ２３）、タブレットの画面では、図７に図示したように訪問スケジュール画面Ａ１１として、カレンダー表示する。図示例では、７月６日に訪問施設１と訪問施設２へ訪問する予定Ａ１１１があることが分かる。また、本例では３番目以上の情報がある場合には、他Ａ１１２と表示され複数の予定があることを示している。カレンダー表示としては、限られた画面表示から各日付内の予定としては３行以内での表示となり、３行以上の予定がある場合には２行まで表示し残りを他Ａ１１２としてまとめている。訪問予定の詳細は別画面にて表示されることでよく、カレンダー表示では、どの日に予定が入っているのか判ればよいとの考え方である。また上段の年月の表示の左右に「戻る」のアイコンＡ１１３と「進む」のアイコンＡ１１４があり、例えば、過去６月以前のスケジュールがどうであったかの確認や、８月以降の予定確認を可能としている。また、本画面にて予定が入っているか否かの確認のみであれば、カレンダー表示し確認後に上段右の「閉じる」のアイコンＡ１１５を指示入力することで画面が閉じられる。
【００５０】
ここで７月６日の訪問予定の詳細を確認する場合には、７月６日の枠内を指定入力（クリック）すると、図５の処理フローで日付指示の入力を検出し（ステップＳ２４）、指定された日に予定表示があると判別し（ステップＳ２５）、ステップＳ２７の訪問予定の時間割の表示処理へ移る。画面上では、図２にて説明したように、図８の訪問予定の訪問時間割の画面Ａ１５へ遷移する。
【００５１】
この訪問予定の時間割については、後述するように、設定された時間割パターンによりシステムにて自動的に計算された訪問時間を割振り、患者一覧と共に表示される。
【００５２】
また、図７のカレンダー表示において、予定の入っていない７月７日等が指定入力（クリック）された場合、指定された日に予定表示が無と判別し（ステップＳ２５）、訪問予定の設定処理（ステップＳ２６）へ進む。このステップＳ２６における設定処理は、図６および図９乃至図１１にて説明される。
【００５３】
図５の処理フローにおいて、予めカレンダー表示の設定無のモードや（ステップＳ２２の判断分岐）、指定された日付に予定ありの場合（ステップＳ２５の判断分岐）、ステップＳ２６にて訪問予定の設定処理が終わった場合に、ステップＳ２７にて訪問予定の時間割の表示処理を行う。この訪問の時間割表示は指定入力された情報に基づきシステムにて自動計算、配列して表示する。タブレットの画面上には、図８の図示例のように訪問予定の訪問時間割の表示画面Ａ１５となる。
【００５４】
図８において、訪問予定として詳細の訪問時間割は上段に説明書きで示すように、左欄から、施設等の訪問先Ａ１５１、患者氏名Ａ１５２、訪問日Ａ１５３、歯科医師Ａ１５４、歯科衛生士Ａ１５５、その氏名とともに下段に開始時間、終了時間、その間のかかる時間（分）等の情報が列記される。
【００５５】
図８の図示例では、訪問施設１と訪問施設２等、複数箇所に訪問する予定があり、施設間の移動時間Ａ１５６等として見積もられている。
【００５６】
上段の訪問日Ａ１５３の指定を変えることで、指定された年月日の訪問予定（あるいは実績）を表示する。また、下段の更新アイコンＡ１５７を指示入力（クリック）することで、訪問時間画面で設定変更されたデータはシステムに更新され反映される。システム側では、時間割パターン（後述）に沿った各患者の診療・指導時間を自動的にランダムな時間を計算して、時間系列等に表示する。再度アイコンがクリックされると、実績データ以外の時間について再計算して表示する。
【００５７】
また、日程計画のアイコンＡ１５８が指定入力（クリック）されると、図７に図示したようなカレンダー画面Ａ１１を表示する。
【００５８】
また、「患者追加」のアイコンＡ１５９が指定入力（クリック）されると、患者選択の画面Ａ１４を表示し患者を追加することができる。
【００５９】
図８において、施設情報や患者情報が複数あり１画面上に表示しきれない場合には、「次ページ」へ頁を切り替えるアイコンＡ１６０、「前ページ」へ頁を切り替えるアイコンＡ１６１により頁を切替えて表示可能である。なお、頁切替えに代えてスクロールさせることでもよい。
【００６０】
また、図８に図示した例では、１番目、２番目の患者と、３番目、４番目の患者とで時間が重複している部分がある。システムでは、予め設定されている時間割パターンに従い、最初に、患者毎に診療時間、指導時間等を割り出して指定設定された患者情報に従いランダムな時間を表示するようにしているため、訪問予定の時間の割り振りを手入力により行う煩雑さを無くしている。そして、この一覧の画面で訂正削除等を可能とし、所定の患者を削除することも、行間の移動や、歯科医師、歯科衛生士を削除変更することも可能である。
【００６１】
なお、本例では、歯科衛生士が１名の例を示しているが、担当となる歯科衛生士が複数いる場合には、横に列記あるいは縦に列記することで対応可能である。
【００６２】
次に、先に説明した、図７のカレンダー画面Ａ１１の表示において、予定の入っていない日が指定入力（クリック）された場合の、図５の処理フロー中で、訪問予定の設定処理（ステップＳ２６）について、図６と図９乃至図１１にて説明する。
【００６３】
図７のカレンダー画面Ａ１１の表示において、例えば、予定の入っていない７月８日が指定入力（クリック）された場合、図９の図示例のような訪問先選択の画面Ａ１２に遷移する。この訪問先選択の画面Ａ１２において、初期画面としては訪問対象の全てを表示することもできるし、図示例のように検索処理により複数の訪問介護施設が選択され表示することもできる。図９において訪問対象として、画面上で例えば施設１を選択すると、図６の処理フロー中、訪問先の選択処理に入り（ステップＳ３１）、訪問先が施設の場合、居宅でないと判断し（ステップＳ３２）、訪問設定処理（ステップＳ３３）、患者選択の処理（ステップＳ３４）へと進む。ステップＳ３３の訪問設定処理では、図１０に図示するように、訪問情報設定の画面Ａ１３へと遷移し、訪問日Ａ１３１、時間割パターンＡ１３２、歯科医師Ａ１３３、歯科衛生士Ａ１３４、訪問時間Ａ１３５、人数Ａ１３６等の入力による訪問設定処理を行う。ここで設定する時間割パターンは、診療時間や指導時間等を歯科医師、歯科衛生士で担当する時間割の配分等を予めパターンとしてシステムに登録されているものである（この登録については、図１２にて説明する）。
【００６４】
続いて図１１に図示した患者選択の画面Ａ１４へ遷移する。訪問施設毎での患者が選択されると、先の図４のステップＳ２７を経て、図８に示す訪問予定としての時間割の画面Ａ１５に遷移する。
【００６５】
なお、図９において訪問対象として、画面上では例示省略しているが、居宅の例では、訪問設定の前に、図１１の患者選択の画面Ａ１４にて居宅の患者指定が行われ、その後に図１０の訪問設定の画面Ａ１３へ遷移し、訪問情報の設定が行われる（図６のステップＳ３６）。
【００６６】
図１２は、本発明の一実施形態に係る訪問歯科診療スケジュール管理システムの訪問スケジュールに係わる時間割パターンの設定画面例の図である。
【００６７】
図１２に図示した画面Ａ１６において、順を指定する表示順Ａ１６１、時間割名称Ａ１６２、診療時間Ａ１６３、指導時間Ａ１６４、準備時間Ａ１６５、引継時間Ａ１６６、患者間移動Ａ１６７の各時間等を入力することで、時間割パターンとしてシステムのマスターデータとして登録管理される。図１２の例では、診療時間、指導時間とも、２０分を単位とした基準単位の例であり、この時間（分）を識別容易な名称としている。この時間（分）は、任意の時間設定でもよく、また、歯科診療以外の例えば看護師による介護等の場合には、その時間単位名であってもよい。また、診療時間、指導時間等の必要となる、あるいは必要と予測される経過時間として、例えば２１分〜２５分等、任意に設定することができる。
【００６８】
従って、この登録データのこの時間割パターンを選択指定することで、訪問情報設定にて指定されたものが、訪問時間割の自動計算に使用される。ここで、診療時間は歯科医師が診療する時間（分）の範囲が設定され、指導時間は歯科衛生士が指導する時間（分）の範囲が設定され、準備時間は、歯科医師または歯科衛生士が準備する時間（分）の範囲が設定され、引継時間は歯科医師から歯科衛生士に引き継ぐ時間（分）の範囲が設定され、移動時間は、歯科医師または歯科衛生士が次の患者の所へ移動する時間（分）の範囲が設定される。
【００６９】
従って、患者毎に、診療時間、指導時間等の設定入力を不要とでき、時間割り振りの設定の煩雑さを無くすることができる。この訪問時間割を時間割パターンとして設定登録することで、患者対応の時間割り付けはランダムに自動生成される時間が計算され、設定される事で自動化され、調整変更等が必要あれば、一覧表や報告文書等の表示画面において適宜変更することができる。
【００７０】
このようにして、訪問スケジュールが確認あるいは設定され、歯科医師、歯科衛生士が訪問診療することになる。
【００７１】
次に、「訪問歯科ナビ」の処理画面に沿って、訪問診療が行われた結果、診療時間、指導時間等に変更有った場合の訪問診療スケジュール管理に如何に反映されるか以下に説明する。
【００７２】
図１３は、本発明の一実施形態に係る訪問歯科診療スケジュール管理システムの「訪問歯科ナビ」のモード選択制御に関する「標準モード」および「道案内モード」の処理フロー図である。
【００７３】
図４の「訪問歯科ナビ」のアイコンＡ３、Ａ４が指示されると、図１３の処理に入る。予め本システムに設定登録されているモードが「道案内モード」か、あるいは「標準モード」かの設定モードを抽出する（Ｓ４１）。設定モードが例えば０／１の判定で分岐処理（Ｓ４２）する。設定が「道案内モード」である場合、訪問先の確認画面を表示し（Ｓ４３）、順に、訪問先の入力の検出処理Ｓ４４、介護認定の入力の検出処理Ｓ４５、等を経て、必要な提供文書の表示の処理Ｓ４６へと進む。
【００７４】
また、分岐処理Ｓ４２で「標準モード」である場合には、各ナビゲーション画面の処理を省略し、必要な提供文書の表示の処理Ｓ４７へと進む。「標準モード」である場合には、特別なナビゲーションを不要とし、必要な提供文書の表示の処理Ｓ４６へと進み、タブレットの使用者が提供文書の作成表示画面にて必要な患者データ等を設定してくことになる。
【００７５】
図１４は、本発明の一実施形態に係る訪問歯科診療スケジュール管理システムの「訪問歯科ナビ」を選択した際の「道案内モード」にて表示される初期画面例の図である。訪問した時に、何をすればよいか、必要な提供文書は何かなどが順次ガイドされる。
【００７６】
図１４において、画面Ａ５内の上段には、予め登録されている患者情報として患者番号Ａ５１１、患者氏名Ａ５１２、画面終了するためのアイコンＡ５１３が配置されている。
【００７７】
同画面中の「訪問先は？」との表題と共に、順次入力すべき情報が案内される。選択肢として複数設けられて、Ａ５１は「ご自宅（居宅）」の場合の提示として一戸建て、マンション等のガイドが付記されている。Ａ５２は「居宅扱いの施設（居住系施設・特定施設）」に関するもので、その画面中に特定老人ホーム、介護付有料老人ホーム、・・・等のガイドが付記される。Ａ５３は「介護保険施設」に関し、Ａ５４は「病院」に関するもので、それぞれガイドが付記されている。これらの選択肢から目的とするものを選択し、「次へ」Ａ５１４のアイコンをクリックすることで、次画面へと案内される。
【００７８】
図１５は、本発明の一実施形態に係る「訪問歯科ナビ」の「道案内モード」の画面遷移の説明図である。
【００７９】
先の図１４にて示した初期画面Ａ５から、順次設問画面が変わり、例えば、画面Ａ６の介護認定情報を入力する画面となり、画面７の体調等の入力情報等、順次訪問先における対応につき入力していき、画面遷移していく。このように各画面の設問において選択入力される情報に基づいて訪問診療をナビゲートできる。選択、入力した情報や事項は訪問歯科ナビ画面に反映され、その結果、画面Ａ８として表示さる。この画面Ａ８には、先に説明した訪問予定として入力されている診療時間、指導時間等が反映され、また、診療内容や、作成する必要がある提供文書などがガイドされる基本画面（プラットホーム）となる。また、患者を選択することで、その患者属性（訪問先、介護認定等）で既存の設定を初期値として表示できる。基本画面（プラットホーム）Ａ８の詳細は、図１９にて後述する。
【００８０】
なお、図１５に図示した遷移画面の説明項目は一例を示したもので、ここに表記した遷移画面に限定されるものではなく、その他複数の設問や、遷移画面に多々設けられる。図１４および図１５にて説明した「訪問歯科ナビ」の「道案内モード」での画面遷移に対して、「標準モード」が設定されている場合には、図４のアイコン表示Ａ３、Ａ４の「訪問歯科ナビ」が選択されたときに、図１５の画面Ａ８となる。この画面については、図１８を用いて後述する。なお、初心者向けを「道案内モード」として説明したが、勿論プロが用いてもよく、その使い方に制限があるわけではない。
【００８１】
図１６は、本発明の一実施形態に係る訪問歯科診療スケジュール管理システムの「患者情報管理」からの検索、表示の際に、複数の画面入力から共通して使用される、検索、表示の処理フロー図である。
【００８２】
図４の画面Ａにおいて、「患者情報管理」のアイコンＡ２が指示されると、図１６の制御処理フローに入り、患者番号、氏名等の入力、あるいは基本情報等の検出処理を行い（Ｓ５１）、患者情報の取得を選択されているときには、患者情報の取得処理を行う（Ｓ５２）。また、患者情報の検索を選択されているときには、所定の患者情報を検索処理し（Ｓ５３）、指示入力された患者情報の取得処理を行う（Ｓ５４）。そして、取得された患者情報を画面に表示処理する（Ｓ５５）。
【００８３】
この図１６の処理は、初期画面からの分岐処理に限られず、「訪問歯科ナビ」等でも共通に使用される。各画面での患者情報の取得のアイコン、患者検索のアイコンの指示からも本処理へ入る。
【００８４】
図１７は、本発明の一実施形態に係る訪問歯科診療スケジュール管理システムの「訪問歯科ナビ」等で、診療時間等を含め訪問内容等をガイドするための表示、ガイド処理フロー図である。また、図１８は、本発明の一実施形態に係る訪問歯科診療スケジュール管理システムの「訪問歯科ナビ」の「道案内モード」および「標準モード」で使用される診療時間情報等を含む提供文書作成の基本画面（プラットホーム）の例であり、訪問歯科診療ナビのプラットホームの位置付けとなる。
【００８５】
図１７の処理フローは、図１８の画面Ａ８等に対応し、担当医師、診療人数、時間等のデータを表示処理し（Ｓ６１）、訪問時の実施項目を表示処理し（Ｓ６２）、訪問実施を表示処理し（Ｓ６３）、診療日の変更の入力検出で表示を変更処理する（Ｓ６４）。
【００８６】
図１８の画面Ａ８において、画面上段に患者の情報として、患者番号Ａ８１１、患者氏名Ａ８１２、診療日Ａ８１３、歯科医師の表示欄Ａ８１４、歯科衛生士の表示欄Ａ８１５などが配置表示される。また、画面を「閉じる」アイコンＡ８２７の他、先の初期画面Ａ（図４）の患者情報管理アイコンのような検索アイコンを設けてあってもよい。画面中段左には、介護認定情報、診療人数等Ａ８１７、診療内容等の実施する内容が一覧Ａ８１８として表示され、その中から実施した事項等を選択入力することができ、訪問スケジュールに係る診療時間Ａ８１８１、指導時間Ａ８１８２等で、実際にかかった診療時間、指導時間にその予定と差異が出た場合には、時間の修正変更するための入力を可能としている。
【００８７】
画面下段には、月度単位での訪問実績をアイコン表示するともに最後に歯科医師が訪問した日付をＡ８２１に表示する。また、提供文書の提供先をＡ８２２に表示することもできる。これにより誰に対する提供文書であるか等を把握することができる。
【００８８】
画面中段右には、治療内容、処置等Ａ８２３の表記と、その内容に伴う診療報酬点数をＡ８２４の欄に表示できる。また、項目毎に参照できる文書がＡ８２５に表示される。
【００８９】
こうして、指導する項目、時間などを選択することにより、算定項目と必要な文書が作成でき、各種届出により、選択できる項目が自動的に表示され、訪問に関する算定点数も自動的に表示可能する。また、月々の訪問実績カレンダーが表示されることにより、過去の訪問診療内容を参照することもできる。
【００９０】
また、図１８の最下段の「保存」アイコンＡ８２６により入力データとして保存される。
【００９１】
図１９は、本発明の一実施形態に係る訪問歯科診療スケジュール管理システムの「訪問歯科ナビ」の基本画面（プラットホーム）での診療時間等の修正変更を可能とする変更処理フロー図であり、図２０は、その診療時間等を変更可能とする画面例の図である。図２０は、図１８で示した基本画面（プラットホーム）中の診療時間Ａ８１８１の修正変更を例にあげ、時間変更の画面をポップアップ画面（別ウインドウ）として表示したものである。
【００９２】
図１９の処理フローと図２０の画面例により、診療時間等の変更処理の一例について以下説明する。
【００９３】
先の図１８の診療時間情報等を含む提供文書作成の基本画面（プラットホーム）において、例えば、実際の診療時間に変更が生じ修正を必要する場合、「診療時間」の該当箇所を指示（クリック）すると、図１９のステップＳ７１にて時間変更の入力を検出し、ステップＳ７２にて変更入力の種別を判断する。変更入力の種別が診療時間と判断され、図２０の基本画面（プラットホーム）中には、診療時間の修正入力画面がポップアップ画面Ａ９として表示される。本例では、診療時間の変更例を示すが、変更入力の種別として、基本画面（プラットホーム）中の指導時間Ａ８１８２の場合であっても同様である。
【００９４】
図２０のポップアップ画面に訂正時間が入力され、これを検出すると、ステップＳ７３にて、該当する時間、本例では診療時間の変更処理をする。即ち、診療時間情報等を含む提供文書作成の基本画面（プラットホーム）が変更される。
【００９５】
また、この診療時間情報等が変更されると、その診療等にかかった時間に合せて点数Ａ８２４の変更に反映される。このようにシステムとして、訪問予定として計画された時間は、交通機関や道路状況、また、患者の容体変化等の状況に合せ変更が可能である。
【００９６】
なお、診療時間等の変更処理について、訪問スケジュールにおける変更が必要の場合には、先に説明したように訪問予定の確認画面にて修正変更することができる。
【００９７】
従って、訪問予定で計画された診療時間や指導時間等は、事前の修正変更や、実際の診療時間や指導時間等に変更でき、必要な提出文書として反映でき、従来の手作業等による修正作業を大幅に改善できる。なお、図１８における例示は、時間変更画面Ａ９をポップアップ画面としたが、基本画面（プラットホーム）上ではなく、別の画面として切り替え表示するようにしてもよい。
【００９８】
図２１は、本発明の一実施形態に係る訪問歯科診療スケジュール管理システムにおける訪問スケジュール情報を含む患者情報のインポートと訪問データのエクスポートの説明図である。本発明の可搬型入出力装置として、タブレットで説明したが、ここで作成された提供文書や患者情報等は、例えば、医院や、他のデバイス端末等の、他で作成された提供文書や患者情報等と情報共有を可能としている。図２１において、タブレット本体２１は、外部からの患者基本情報等２２をＣＳＶデータ形式として取込む（インポート）機能を備え、また、本体で作成された診療データ等を訪問診療データ２３としてＣＳＶデータ形式で外部へ出力する（エクスポート）機能を備える。また、本体で作成された提供文書等をＰＤＦ形式２４で出力することも可能としている。
【００９９】
図２２は、発明の一実施形態に係る訪問歯科診療スケジュール管理システムの運用形態の説明図であり、訪問歯科診療ナビゲーションの機能を含めシステム化したものである。図２２において、可搬型の入出力装置としてのタブレット本体２１に、例えばＣＣＤ口腔内カメラ２１１を接続し、外部写真や、動画として画像情報を取込むことができる。また、プリンタ２１２に接続し、提供文書等、ドキュメント印刷を可能とする。また、本体で作成した文書、データ類を外部記憶装置２２１へ出力し、バックアップ保存することも可能である。
【０１００】
また、無線機能を備えることにより、外部ネットワーク２００へ接続し、例えば、院内側のインタフェース２２４を介して、院内の処理装置２２２（例えば、サーバ装置）と通信し、処理装置側の記憶装置２２３へデータ転送することもできる。
【０１０１】
上記で説明した実施形態としての画面構成、文書例などは、これに限定されるものではなく、また、画面の配列順に限定されるものでもない。また、制御処理フロー図について、コンピュータ内での各種データ間のやり取り等もあり、フロー図をもって限定解釈されるべきではない。
【０１０２】
以上説明した各実施形態は、本発明の理解のために例示されたものであり、本発明は、これら実施形態に限定されず、特許請求の範囲の記載によって定義される。また、本発明の技術思想から離れるものでない限り、特許請求の範囲に記載の構成と均等であるものも本発明の保護の範囲に含まれるものである。
【産業上の利用可能性】
【０１０３】
本発明によれば、訪問診療、特に、訪問歯科診療において、訪問診療スケジュールを簡便に組立てることができるとともに、実際の訪問診療の結果の診療時間等の変更訂正を容易にでき、また、患者対応の各種文書の作成等をガイド、支援するもので、今後の介護施設や在宅における介護ケースが増えるなか、歯科医師等をサポートするシステムとして、ますます利用可能性が大きい。
【符号の説明】
【０１０４】
１…処理部
２、３…メモリ
４…ディスプレイ
５、６、７…インタフェース機器
Ａ…初期画面、メインメニュー
Ａ１…「訪問予定管理」アイコン表示
Ａ２…「患者情報」アイコン表示
Ａ３…「訪問歯科ナビ  ＤｒＤＨ」アイコン表示
Ａ４…「訪問歯科ナビ  ＤＨ」アイコン表示
【図１】
2018010567.tif 000003
【図２】
2018010567.tif 000004
【図３】
2018010567.tif 000005
【図４】
2018010567.tif 000006
【図５】
2018010567.tif 000007
【図６】
2018010567.tif 000008
【図７】
2018010567.tif 000009
【図８】
2018010567.tif 000010
【図９】
2018010567.tif 000011
【図１０】
2018010567.tif 000012
【図１１】
2018010567.tif 000013
【図１２】
2018010567.tif 000014
【図１３】
2018010567.tif 000015
【図１４】
2018010567.tif 000016
【図１５】
2018010567.tif 000017
【図１６】
2018010567.tif 000018
【図１７】
2018010567.tif 000019
【図１８】
2018010567.tif 000020
【図１９】
2018010567.tif 000021
【図２０】
2018010567.tif 000022
【図２１】
2018010567.tif 000023
【図２２】
2018010567.tif 000024